(57)【要約】【課題】電磁シールドの性能に優れた電子装置を提供する。【解決手段】電子装置は、樹脂成形体と、樹脂成形体の上面から露出するように樹脂成形体に埋設された電子部品と、当該上面に形成され、電子部品に接続する配線と、樹脂成形体の第１下面に接合された第１金属板と、電子部品および配線を覆う第２金属板とを備える。第１金属板は、樹脂成形体の上面から露出するように折り曲げられ、樹脂成形体に埋設される折曲部を有する。第２金属板は、折曲部と電気的に接続される。【選択図】図６
2019091809.tif 000002
【特許請求の範囲】
【請求項１】
樹脂成形体と、
前記樹脂成形体の第１面から露出するように前記樹脂成形体に埋設された電子部品と、
前記第１面に形成され、前記電子部品に接続する配線と、
前記樹脂成形体の第２面に接合された第１金属板と、
前記電子部品および前記配線を覆う第２金属板とを備え、
前記第２面は、前記第１面の裏側の面であり、
前記第１金属板は、前記第１面から露出するように折り曲げられ、前記樹脂成形体に埋設される少なくとも１つの第１折曲部を有し、
前記第２金属板は、前記少なくとも１つの第１折曲部と電気的に接続される、電子装置。
【請求項２】
前記少なくとも１つの第１折曲部は、複数の第１折曲部を含み、
前記複数の第１折曲部は、前記電子部品と前記配線とを囲むように配置される、請求項１に記載の電子装置。
【請求項３】
前記第１金属板は、前記第１面から露出するように折り曲げられ、前記樹脂成形体に埋設される第２折曲部をさらに有し、
前記電子装置は、
前記電子部品と前記第２折曲部とに接続するように前記第１面に形成された伝熱層をさらに備える、請求項１または２に記載の電子装置。
【請求項４】
前記電子装置は、前記第２面に接合された第３金属板をさらに備え、
前記第３金属板は、
前記第１面から露出するように折り曲げられ、前記樹脂成形体に埋設される第３折曲部と、
外部装置と接続可能な端子部とを有し、
前記配線は、前記第３折曲部に接続する、請求項１から３のいずれか１項に記載の電子装置。
【請求項５】
第１金属板を折り曲げて、折曲部を形成する工程と、
前記折曲部の一部と電子部品とをシートの一方の面に貼り付ける工程と、
前記シートの他方の面が成形型の内面に接するように前記シートを前記成形型内に配置し、前記成形型内に樹脂を充填させることにより、前記電子部品と前記折曲部とが埋設された樹脂成形体を成形する工程と、
前記樹脂成形体から前記シートを剥離する工程と、
前記シートを剥離することにより露出した前記樹脂成形体の表面に、前記電子部品に接続する配線を形成する工程と、
前記電子部品および前記配線を覆うように第２金属板を配置し、前記第２金属板と前記折曲部とを電気的に接続する工程とを備える電子装置の製造方法。
【発明の詳細な説明】
【技術分野】
【０００１】
本発明は、電磁シールド構造を有する電子装置およびその製造方法に関する。
【背景技術】
【０００２】
近年、携帯電話等の携帯用電子機器等の民生用電子機器において、薄型、軽量、小型および高耐水性のウエアラブルな製品を安価で供給することが求められている。一般的に、電子機器は、各種電子部品をプリント回路基板上で組み立てることで構成されている。しかしながら、銅箔をエッチング加工して回路を形成するプリント回路基板は、材料費や加工費等がかさみ、また、はんだ、導電性接着剤または金属ワイヤ等を用いた電子部品の実装についても、材料費や加工費等がかさむため、高価になってしまう。
【０００３】
そこで、製品の薄型化、小型化および低コスト化のためにプリント回路基板を使用しない電子部品の実装方法が提案されている。たとえば、特開平７−６６５７０（特許文献１）には、成形樹脂の電子部品を埋設した面に配線パターンを形成し、非埋設面にシールド導体層を形成した電子回路パッケージが開示されている。
【先行技術文献】
【特許文献】
【０００４】
【特許文献１】特開平７−６６５７０号公報
【発明の概要】
【発明が解決しようとする課題】
【０００５】
しかしながら、特開平７−６６５７０に記載の電子回路パッケージでは、非埋設面にのみシールド導体層が形成され、電磁シールドの性能が十分ではない。
【０００６】
本開示は、上記の問題点に着目してなされたもので、その目的は、電磁シールドの性能に優れた電子装置およびその製造方法を提供することである。
【課題を解決するための手段】
【０００７】
本開示の一例では、電子装置は、樹脂成形体と、樹脂成形体の第１面から露出するように樹脂成形体に埋設された電子部品と、第１面に形成され、電子部品に接続する配線と、樹脂成形体の第２面に接合された第１金属板と、電子部品および配線を覆う第２金属板とを備える。第２面は、第１面の裏側の面である。第１金属板は、第１面から露出するように折り曲げられ、樹脂成形体に埋設される少なくとも１つの第１折曲部を有する。第２金属板は、少なくとも１つの第１折曲部と電気的に接続される。
【０００８】
上記の構成によれば、第１金属板および第２金属板は、電子部品と配線とで構成される電子回路を上下から挟み込む電磁シールド構造を構成する。その結果、電子装置は、電磁シールドの性能に優れる。
【０００９】
本開示の一例では、少なくとも１つの第１折曲部は、複数の第１折曲部を含む。複数の第１折曲部は、電子部品と配線とを囲むように配置される。
【００１０】
上記の構成によれば、複数の第１折曲部は、電子部品と配線とを囲むため、電磁シールドの性能がさらに向上する。
【００１１】
本開示の一例では、第１金属板は、第１面から露出するように折り曲げられ、樹脂成形体に埋設される第２折曲部をさらに有する。電子装置は、電子部品と第２折曲部とに接続するように第１面に形成された伝熱層をさらに備える。
【００１２】
上記の構成によれば、電子部品の熱を、伝熱層を介して第１金属板に拡散することができる。
【００１３】
本開示の一例では、電子装置は、第２面に接続された第３金属板をさらに備える。第３金属板は、先端が第１面から露出するように折り曲げられ、樹脂成形体に埋設される第３折曲部と、外部装置と接続可能な端子部とを有する。配線は、第３折曲部に接続する。
【００１４】
上記の構成によれば、電子部品は、第３金属板を介して外部装置と電気的に接続することができる。
【００１５】
本開示の一例では、電子装置の製造方法は、以下の第１〜第６工程を備える。第１工程は、第１金属板を折り曲げて、折曲部を形成する工程である。第２工程は、折曲部の一部と電子部品とをシートの一方の面に貼り付ける工程である。第３工程は、シートの他方の面が成形型の内面に接するようにシートを成形型内に配置し、成形型内に樹脂を充填させることにより、電子部品と折曲部とが埋設された樹脂成形体を成形する工程である。第４工程は、樹脂成形体からシートを剥離する工程である。第５工程は、シートを剥離することにより露出した樹脂成形体の表面に、電子部品に接続する配線を形成する工程である。第６工程は、電子部品および配線を覆うように第２金属板を配置し、第２金属板と折曲部とを電気的に接続する工程である。
【００１６】
上記の構成によれば、第１金属板の折曲部は、電子部品とともに樹脂成形体に埋設される。そのため、樹脂成形体を成形するときに、電子部品と第１金属板とを一体化することができる。第２金属板は、樹脂成形体の第１面に配線が形成された後に、電子部品および配線を覆うように配置される。このように、電子部品が埋設された樹脂成形体に、第１金属板および第２金属板を容易に取り付けることができる。したがって、複雑な工程を行なうことなく、電磁シールド構造を備えた電子装置を容易に製造することができる。
【発明の効果】
【００１７】
本開示によれば、電磁シールドの性能に優れた電子装置およびその製造方法を提供することができる。
【図面の簡単な説明】
【００１８】
【図１】本実施形態に係る電子装置の一例を模式的に示す平面図である。
【図２】上部に配置された金属板が取り外されたときの、図１に示す電子装置を示す平面図である。
【図３】図１に示す電子装置の底面図である。
【図４】図１のＸ−Ｘ線に沿った矢視断面図である。
【図５】図１のＶ−Ｖに沿った矢視断面図である。
【図６】図１のＶＩ−ＶＩに沿った矢視断面図である。
【図７】金属板の一例を模式的に示す平面図である。
【図８】図７に示す金属板の底面図である。
【図９】図７のＸ−Ｘ線に沿った矢視断面図である。
【図１０】図７のＶ−Ｖ線に沿った矢視断面図である。
【図１１】貼り付け工程の一例を模式的に示す断面図である。
【図１２】成形型の中に配置されたシート，電子部品および金属板の一例を模式的に示す断面図である。
【図１３】樹脂成形工程の一例を模式的に示す断面図である。
【図１４】剥離工程の一例を模式的に示す断面図である。
【図１５】配線形成工程の一例を模式的に示す断面図である。
【図１６】接着工程の一例を模式的に示す断面図である。
【図１７】切取工程の一例を模式的に示す平面図である。
【発明を実施するための形態】
【００１９】
＜適用例＞
図１〜図６を参照して、本発明が適用される場面の一例について説明する。図１は、本実施形態に係る電子装置１の一例を模式的に示す平面図である。図２は、上部に配置された金属板４０が取り外されたときの、図１に示す電子装置１を示す平面図である。図３は、図１に示す電子装置１の底面図である。図４は、図１のＸ−Ｘ線に沿った矢視断面図である。図５は、図１のＶ−Ｖに沿った矢視断面図である。図６は、図１のＶＩ−ＶＩに沿った矢視断面図である。電子装置１は、様々な種類の電子機器に搭載可能である。
【００２０】
図１〜図６に示す例では、電子装置１は、樹脂成形体１０と、電子部品２０ａ〜２０ｅと、配線６０ａ，６０ｂ，６１と、金属板３０，４０とを備える。電子部品２０ａ〜２０ｅは、樹脂成形体１０の上面１１から露出するように樹脂成形体１０に埋設される。配線６０ａ，６０ｂ，６１は、樹脂成形体１０の上面１１に形成され、電子部品２０ａ〜２０ｅのいずれかに接続する。金属板３０は、樹脂成形体１０の第１下面１２に接合される。第１下面１２は、上面１１の裏側である。金属板３０は、上面１１から露出するように折り曲げられ、樹脂成形体１０に埋設される折曲部３４ａ〜３４ｅを有する。金属板４０は、樹脂成形体１０の上面１１を覆い、折曲部３４ａ〜３４ｅと電気的に接続される。
【００２１】
電子部品２０ａ〜２０ｅと配線６０ａ，６０ｂ，６１とは、樹脂成形体１０の上面１１において電子回路を構成する。当該電子回路は、金属板３０と金属板４０との間に位置する。そのため、金属板３０および金属板４０は、電子部品２０ａ〜２０ｅと配線６０ａ，６０ｂ，６１とで構成される電子回路を挟み込む電磁シールド構造を構成する。その結果、電子装置１は、電磁シールドの性能に優れる。
【００２２】
＜構成例＞
以下に電子装置１の各構成の詳細を説明する。図１〜図６に示す例では、電子装置１は、樹脂成形体１０と、電子部品２０ａ〜２０ｅと、金属板３０，３１ａ，３１ｂ，４０と、伝熱層５０と、配線６０ａ，６０ｂ，６１と、導電接着部材７０とを備えてもよい。
【００２３】
樹脂成形体１０は、たとえばポリカーボネイト（ＰＣ）、アクリロニトリルブタジエンスチレン（ＡＢＳ）、ポリアミド（ＰＡ）等の樹脂からなる。ただし、樹脂成形体１０の材質は、特に限定されるものではない。樹脂成形体１０は、たとえば平面視矩形状の略板状である。樹脂成形体１０の厚みは特に限定されず、たとえば３ｍｍである。樹脂成形体１０の表面は、上面１１と、金属板３０と接合する第１下面１２と、金属板３０から露出する第２下面１３とを含む（図４〜図６参照）。
【００２４】
金属板３０，３１ａ，３１ｂ，４０は、たとえばステンレス等の伝熱性を有する金属で構成される。金属板３０，３１ａ，３１ｂ，４０の厚みは特に限定されず、たとえば０．２ｍｍである。
【００２５】
金属板３０は、樹脂成形体１０の下面の大部分を覆い、樹脂成形体１０の第１下面１２に接合する。金属板３０の平面視の外形サイズは、樹脂成形体１０の平面視の外形サイズよりも大きい。金属板３０には切欠き部３６と穴３７ａ〜３７ｃとが形成される（図３参照）。切欠き部３６の一部と穴３７ａ〜３７ｃには樹脂成形体１０が充填される。樹脂成形体１０の第２下面１３は、切欠き部３６と穴３７ａ〜３７ｃとから露出する面である。
【００２６】
金属板３０は、先端が樹脂成形体１０の上面１１から露出するように折り曲げられ、樹脂成形体１０に埋設される折曲部３４ａ〜３４ｅ，３５を有する。折曲部３４ａ〜３４ｅは、電子部品２０ａ〜２０ｅおよび配線６０ａ，６０ｂ，６１の四方を囲むように配置される。
【００２７】
折曲部３５の先端面３９（図５参照）は、樹脂成形体１０の上面１１に連続する。ここで、２つの面が「連続する」とは、当該２つの面の間の段差が、その上に形成される伝熱層５０または配線６０ａ，６０ｂ，６１が切断しない程度に小さいことを意味する。折曲部３４ａ〜３４ｅの先端面も、樹脂成形体１０の上面１１に連続する。
【００２８】
金属板３１ａ，３１ｂは、金属板３０の切欠き部３６内に配置され、樹脂成形体１０の第１下面１２に接合する。金属板３１ａ，３１ｂは、平面視において樹脂成形体１０から突出した端子部３３ａ，３３ｂをそれぞれ有する（図２、図５参照）。端子部３３ａ，３３ｂは、外部装置と電気的に接続可能である。以下では、金属板３１ａ，３１ｂを特に区別しない場合、金属板３１ａ，３１ｂの各々を「金属板３１」という。端子部３３ａ，３３ｂを特に区別しない場合、端子部３３ａ，３３ｂの各々を「端子部３３」という。
【００２９】
金属板３１ａ，３１ｂは、先端が樹脂成形体１０の上面１１から露出するように折り曲げられ、樹脂成形体１０に埋設される折曲部３２ａ，３２ｂをそれぞれ有する。折曲部３２ｂの先端面３８ｂ（図５参照）は、樹脂成形体１０の上面１１に連続する。折曲部３２ａの先端面も樹脂成形体１０の上面１１に連続する。
【００３０】
金属板４０は、樹脂成形体１０の上面１１と略同サイズの平面視矩形状であり、樹脂成形体１０の上面１１を覆う。金属板４０は、導電接着部材７０を介して折曲部３４ａ〜３４ｅと電気的に接続される。
【００３１】
電子部品２０ａ〜２０ｅは、たとえば受動部品（抵抗、コンデンサ等）、能動部品（ＬＳＩ（Large-Scale Integration）、ＩＣ（Integrated Circuit）、パワートランジスタ等）、電源装置（電池等）、表示装置（ＬＥＤ（Light Emitting Diode）等）、センサ、スイッチ等から選択される部品である。電子部品２０ａ〜２０ｅは、電極２１ａ〜２１ｅをそれぞれ有する。電子部品２０ａ〜２０ｅの各々は複数の電極を有するが、図中には当該複数の電極のうちの一つにのみ符号を付している。たとえば、チップ型の電子部品２０ｃ〜２０ｅは２つの電極２１ｃ〜２１ｅをそれぞれ有する。たとえばＩＣである電子部品２０ａは４つの電極２１ａを有する。たとえばＬＳＩである電子部品２０ｂは６つの電極２１ｂを有する。以下では、電子部品２０ａ〜２０ｅを特に区別しない場合、電子部品２０ａ〜２０ｅの各々を「電子部品２０」という。電極２１ａ〜２１ｅを特に区別しない場合、電極２１ａ〜２１ｅの各々を「電極２１」という。
【００３２】
電子部品２０は、樹脂成形体１０の上面１１から露出するように、樹脂成形体１０に埋設される。このとき、電極２１も樹脂成形体１０の上面１１から露出する。電子部品２０の表面のうち樹脂成形体１０から露出する面は、樹脂成形体１０の上面１１と連続する。
【００３３】
伝熱層５０は、伝熱材で構成される。伝熱層５０は、たとえば熱伝導率４３０Ｗ／ｍＫの銀等の導電性の金属で構成されてもよいし、グラファイト、熱伝導樹脂材等の非導電性の材料で構成されてもよい。伝熱層５０の厚みは特に限定されず、たとえば１〜５μｍである。伝熱層５０は、樹脂成形体１０の上面１１上に形成され、電子部品２０ｂの表面と金属板３０の折曲部３５の先端面３９とに接続する。これにより、電子部品２０ｂの熱を金属板３０に拡散させることができる。
【００３４】
伝熱層５０は、たとえばインクジェット印刷法やスクリーン印刷法を用いて液状の伝熱性インク（たとえば、銀（Ａｇ）ナノインク）を樹脂成形体１０の上面１１に塗布することにより、容易に形成される。インクジェット印刷法は、液状のインクをノズルから噴射し、インクを噴射対象面上に堆積させる印刷方式である。
【００３５】
配線６０ａ，６０ｂ，６１は、たとえば抵抗率３〜６μΩｃｍの銀等の金属で構成される。配線６０ａ，６０ｂ，６１の厚みは特に限定されず、たとえば１〜５μｍである。配線６０ａ，６０ｂ，６１は、樹脂成形体１０の上面１１上に形成される。
【００３６】
配線６０ａは、電子部品２０ａの電極２１ａと電子部品２０ｂの電極２１ｂと金属板３１ａの折曲部３２ａの先端面とに接続する。これにより、電子部品２０ａ，２０ｂと金属板３１ａとが電気的に接続される。配線６０ｂは、電子部品２０ｂの電極２１ｂと電子部品２０ｅの電極２１ｅと金属板３１ｂの折曲部３２ｂの先端面３８ｂとに接続する。これにより、電子部品２０ｂ，２０ｅと金属板３１ｂとが電気的に接続される。以下では、配線６０ａ，６０ｂを特に区別しない場合、配線６０ａ，６０ｂの各々を「配線６０」という。
【００３７】
配線６１は、複数の電子部品２０の各々の電極２１と接続する。これにより、複数の電子部品２０同士が電気的に接続される。
【００３８】
配線６０ａ，６０ｂ，６１は、たとえばインクジェット印刷法やスクリーン印刷法を用いて液状の導電性インク（たとえば、銀（Ａｇ）ナノインク）を樹脂成形体１０の上面１１に塗布することにより、容易に形成される。
【００３９】
導電接着部材７０は、導電性の接着剤で構成され、折曲部３４ａ〜３４ｅの先端と金属板４０とを接着する。導電接着部材７０の厚みは、配線６０ａ，６０ｂ，６１の厚みよりも厚い。そのため、金属板４０は、配線６０ａ，６０ｂ，６１と接触しない。
【００４０】
＜電子装置の製造方法＞
次に、図７〜図１７を参照して、電子装置１の製造方法の一例について説明する。電子装置１は、たとえば以下に示す金属板の準備工程、貼り付け工程、樹脂成形工程、剥離工程、配線形成工程、接着工程、切取工程によって製造される。
【００４１】
（金属板の準備工程）
図７〜図１０を参照して、金属板３０，３１ａ，３１ｂの元となる金属板１３０の準備工程の一例について説明する。図７は、金属板１３０の一例を模式的に示す平面図である。図８は、図７に示す金属板１３０の底面図である。図９は、図７のＸ−Ｘ線に沿った矢視断面図である。図１０は、図７のＶ−Ｖ線に沿った矢視断面図である。
【００４２】
図７〜図１０の例では、平面視矩形状の金属板１３０が準備される。金属板１３０は、所定のパターンに沿って切り込まれ、一部が取り除かれるとともに、一部が直角に曲げられる。これにより、折曲部３２ａ，３２ｂ，３４ａ〜３４ｅ，３５を有するとともに、穴３７ａ〜３７ｄが形成された金属板１３０が準備される。以下では、折曲部３２ａ，３２ｂを特に区別しない場合、折曲部３２ａ，３２ｂの各々を「折曲部３２」という。折曲部３４ａ〜３４ｅを特に区別しない場合、折曲部３４ａ〜３４ｅの各々を「折曲部３４」という。穴３７ａ〜３７ｄを特に区別しない場合、穴３７ａ〜３７ｄの各々を「穴３７」という。
【００４３】
（貼り付け工程）
図１１は、貼り付け工程の一例を模式的に示す断面図である。図１１の例では、電子部品２０が接着剤（図示せず）を用いてシート８０に貼り付けられる。このとき、電極２１がシート８０に接触するように、電子部品２０はシート８０に貼り付けられる。さらに、シート８０には、金属板１３０の折曲部３２，３４，３５の先端面が貼り付けられる。
【００４４】
シート８０の材料としては、たとえば、ポリエチレンテレフタレート（ＰＥＴ）、ポリエチレンナフタレート（ＰＥＮ）、ポリフェニレンサルファイド（ＰＰＳ）等を用いることができる。シート８０は、紫外線を透過し、かつ柔軟性を有している材料からなっていることが好ましい。
【００４５】
シート８０への電子部品２０および折曲部３２，３４，３５の貼り付けは、たとえば、シート８０に塗布した紫外線硬化型の接着剤（図示せず）を用いて行なうことができる。たとえば、厚さ５０μｍの透明ＰＥＴ製のシート８０の一方の面８０ａに、紫外線硬化型の接着剤を２〜３μｍの厚さで塗布する。この塗布は、たとえばインクジェット印刷法などの方法を用いて行なわれる。その後、電子部品２０を所定位置に置く。さらに、折曲部３２，３４，３５の先端面がシート８０に接触するように金属板１３０を配置する。このとき、折曲部３４によって電子部品２０が囲まれるように、金属板１３０を配置する。シート８０の他方の面８０ｂ（つまり、電子部品２０および折曲部３２，３４，３５とは反対側の面）から、たとえば３０００ｍＪ／ｃｍ２の強度の紫外線８２を照射することにより、接着剤が硬化し、電子部品２０および折曲部３２，３４，３５の先端面がシート８０に貼り付けられる。
【００４６】
さらに、穴３７がシート８１によって覆うように、金属板１３０の折曲部３２，３４，３５が折り曲げられていない側の面をシート８１の一方の面８１ａに貼り付ける。シート８１への金属板１３０の貼り付けは、シート８０への電子部品２０および折曲部３２，３４，３５の貼り付け方法と同一の方法を用いて行なわれる。すなわち、紫外線透過可能なシート８１と図示しない紫外線硬化型の接着剤とを用いて紫外線８２をシート８１の他方の面８１ｂから照射することにより、金属板１３０がシート８１に貼り付けられる。
【００４７】
（樹脂成形工程）
図１２は、成形型の中に配置されたシート８０，８１，電子部品２０および金属板１３０の一例を模式的に示す断面図である。図１２に示す例では、シート８０，８１が上成形型８３と下成形型８４との間に配置される。このとき、シート８０の面８０ｂが上成形型８３の内面に接するように、シート８０は上成形型８３と下成形型８４との間に配置される。さらに、シート８１の面８１ｂが下成形型８４の内面に接するように、シート８１は上成形型８３と下成形型８４との間に配置される。これにより、上成形型８３と下成形型８４との間には空間８５が形成される。
【００４８】
図１３は、樹脂成形工程の一例を模式的に示す断面図である。上成形型８３と下成形型８４との間の空間８５（図１２参照）に溶融樹脂を射出することにより、樹脂成形体１０を成形する。樹脂は、電子部品２０および折曲部３２，３４，３５を囲むように充填される（図１３、図４〜６参照）。そのため、電子部品２０および折曲部３２，３４，３５は、樹脂成形体１０に埋設される。さらに、樹脂成形体１０の第１下面１２は金属板１３０と接合する。
【００４９】
樹脂の射出成形を行なう条件は、樹脂の材料に応じて適宜選択される。たとえば、ポリカーボネート（ＰＣ）を用いる場合には、射出樹脂温度２７０℃、射出圧力１００ＭＰａで射出成形を行なう。アクリロニトリルブタジエンスチレン（ＡＢＳ）を用いる場合には、射出樹脂温度１８０℃、射出圧力２０ｋｇｆ／ｃｍ２で射出成形を行なう。
【００５０】
（剥離工程）
図１４は、剥離工程の一例を模式的に示す断面図である。上成形型８３と下成形型８４とから取り出された樹脂成形体１０からシート８０，８１を剥離する。シート８０を剥離することにより、樹脂成形体１０の上面１１が露出する。樹脂成形体１０の上面１１は、シート８０と接合していた面である。上記の貼り付け工程において、シート８０には電子部品２０および折曲部３２，３４，３５の先端面が貼り付けられる（図１１参照）。そのため、電子部品２０の表面および折曲部３２，３４，３５の先端面は、樹脂成形体１０の上面１１と連続する（図１４、図４〜６参照）。
【００５１】
シート８１を剥離することにより、金属板１３０の穴３７から樹脂成形体１０の第２下面１３が露出する。樹脂成形体１０の第２下面１３は、シート８１と接合していた面である。上記の貼り付け工程において、シート８１には金属板１３０が貼り付けられる。そのため、金属板１３０の表面と樹脂成形体１０の第２下面１３とは連続する。
【００５２】
（配線形成工程）
図１５は、配線形成工程の一例を模式的に示す断面図である。たとえばインクジェット印刷機９０を用いて、樹脂成形体１０の上面１１に伝熱層５０および配線６０，６１を形成する。伝熱層５０は、電子部品２０の表面（電極２１を除く）と折曲部３５の先端面３９とに接続するように形成される（図１５、図５参照）。配線６０は、電子部品２０の電極２１と折曲部３２の先端面とに接続するように形成される（図１５、図４〜６参照）。配線６１は、複数の電子部品２０の電極２１とに接続するように形成される（図１５、図４〜６参照）。伝熱層５０および配線６０，６１の形成は、スクリーン印刷法等を用いて行なわれてもよい。伝熱層５０と配線６０，６１との材料は同一であってもよいし、異なっていてもよい。
【００５３】
（接着工程）
図１６は、接着工程の一例を模式的に示す断面図である。樹脂成形体１０の上面１１から露出する折曲部３４の上に導電接着部材７０を配置し、その上から金属板４０を接着させる。これにより、金属板４０は、樹脂成形体１０の上面１１から露出した電子部品２０を覆い、折曲部３４と電気的に接続する。
【００５４】
（切取工程）
図１７は、切取工程の一例を模式的に示す平面図である。金属板１３０の切取対象部分１３１を切り取ることにより、金属板１３０を金属板３０，３１ａ，３１ｂに分割する。このとき、穴３７ｄは切欠き部３６となる（図３参照）。これにより、金属板３１ａ，３１ｂを外部装置との接続用の端子として利用するとともに、金属板３０を電磁シールドとして利用することができる。金属板３０，３１ａ，３１ｂは、同一の金属板１３０を基に作製されるため、同一の材料で構成され、同一の厚みを有する。切取工程は、接着工程の前に行なわれてもよく、配線形成工程の前に行なわれてもよい。切取工程は、金属板１３０の形状に応じて省略されてもよい。
【００５５】
＜変形例１＞
上記の説明では、５つの折曲部３４ａ〜３４ｅを有する金属板３０を例にとり説明したが、金属板が有する折曲部３４の個数はこれに限定されない。たとえば、金属板３０は、１つの折曲部のみを有していてもよい。この場合であっても、金属板３０と金属板４０とが電気的に接続され、電子部品２０と配線６０，６１とで構成される電子回路は、金属板３０と金属板４０との間に挟み込まれる。これにより、電子部品２０と配線６０，６１とで構成される電子回路の電磁シールドの性能に優れる。
【００５６】
＜変形例２＞
上記の説明では、折曲部３２，３４，３５の先端面を樹脂成形体１０の上面１１に露出させるものとした。しかしながら、折曲部３２，３４，３５の一部の面を樹脂成形体１０の上面１１から露出させてもよい。たとえば、折曲部３２，３４，３５の先端から所定距離の部分でさらにＬ字状に折り曲げ、当該折り曲げ部分から先端までの表面を樹脂成形体１０の上面１１から露出させてもよい。これにより、樹脂成形体１０の上面１１から露出する折曲部３２，３４，３５の表面の面積が大きくなり、配線６０を形成しやすくなる。さらに、導電接着部材７０によって、金属板３０と金属板４０とを電気的に接続しやすくなる。
【００５７】
＜変形例３＞
上記の説明では、金属板３０，３１ａ，３１ｂを同一の金属板１３０から作製した。しかしながら、金属板３０と金属板３１ａと金属板３１ｂとを別々に準備してシート８０に貼り付けてもよい。
【００５８】
＜作用・効果＞
以上のように、本実施の形態に係る電子装置１では、電子部品２０は、樹脂成形体１０の上面１１から露出するように樹脂成形体１０に埋設される。上面１１には、電子部品２０に接続する配線６０，６１が形成される。樹脂成形体１０の第１下面１２には金属板３０が接合され、上面１１の上方には電子部品２０を覆う金属板４０が配置される。金属板３０は、先端が上面１１から露出するように折り曲げられ、樹脂成形体１０に埋設される折曲部３４を有する。金属板４０は、折曲部３４と電気的に接続される。
【００５９】
上記の構成によれば、金属板３０および金属板４０は、電子部品２０と配線６０，６１とで構成される電子回路を上下から挟み込む電磁シールド構造を構成する。その結果、電子装置１は、電磁シールドの性能に優れる。
【００６０】
さらに、金属板３０の折曲部３４は、電子部品２０とともに樹脂成形体１０に埋設される。そのため、樹脂成形体１０と金属板３０との接合性を高めることができる。
【００６１】
金属板３０は、複数の折曲部３４を有する。複数の折曲部３４は、電子部品２０と配線６０，６１とを囲むように配置される。これにより、複数の折曲部３４は、電子部品２０と配線６０，６１とで構成される電子回路の四方を取り囲む。その結果、電子装置１は、電磁シールドの性能をさらに向上させることができる。
【００６２】
金属板３０は、上面１１から露出するように折り曲げられ、樹脂成形体１０に埋設される折曲部３５をさらに有する。電子装置１は、電子部品２０と折曲部３５とに接続するように上面１１に形成された伝熱層５０をさらに備える。これにより、電子部品２０の熱を、伝熱層５０を介して金属板３０に拡散することができる。
【００６３】
電子装置１は、樹脂成形体１０の第１下面１２に接続された金属板３１をさらに備える。金属板３１は、上面１１から露出するように折り曲げられ、樹脂成形体１０に埋設される折曲部３２と、外部装置と接続可能な端子部３３とを有する。配線６０は、折曲部３２に接続する。これにより、電子部品２０は、金属板３１を介して外部装置と電気的に接続することができる。
【００６４】
本実施の形態に係る電子装置１の製造方法では、上記の金属板の準備工程、貼り付け工程、樹脂成形工程、剥離工程、配線形成工程、接着工程が実施される。このように、金属板３０の折曲部３４は、電子部品２０とともに樹脂成形体１０に埋設される。そのため、樹脂成形体１０を成形するときに、電子部品２０と金属板３０とを一体化することができる。金属板４０は、樹脂成形体１０の上面１１に配線６０が形成された後に、電子部品２０および配線６０を覆うように配置される。このように、電子部品２０が埋設された樹脂成形体１０に、金属板３０，４０を容易に取り付けることができる。したがって、複雑な工程を行なうことなく、電磁シールド構造を備えた電子装置１を容易に製造することができる。
【００６５】
さらに、配線６０は、たとえばインクジェット印刷法等により樹脂成形体１０の上面１１に形成される。そのため、はんだ付け等の高温度の熱処理が不要となり、耐熱性の低い樹脂を用いて樹脂成形体１０を成形することが可能となる。その結果、樹脂成形体１０に用いる材料の自由度が上がる。
【００６６】
配線６０は、樹脂成形体１０を成形した後に形成され、樹脂からの応力をほとんど受けない。そのため、たとえばボンディングワイヤが樹脂に埋設された電子装置と比較して、製造品質の低下を抑制することができる。
【００６７】
＜付記＞
以下のように、本実施の形態は、以下のような開示を含む。
電子装置（１）は、樹脂成形体（１０）と、樹脂成形体（１０）の第１面（上面１１）から露出するように樹脂成形体（１０）に埋設された電子部品（２０）と、第１面（１１）に形成され、電子部品（２０）に接続する配線（６０，６１）と、樹脂成形体１０の第２面（第１下面１２）に接合された第１金属板（３０）と、電子部品（２０）を覆う第２金属板（４０）とを備える。第２面（１２）は、第１面（１１）の裏側の面である。第１金属板（３０）は、第１面（１１）から露出するように折り曲げられ、樹脂成形体（１０）に埋設される少なくとも１つの第１折曲部（３４）を有する。第２金属板（４０）は、少なくとも１つの第１折曲部（３４）と電気的に接続される。
【００６８】
少なくとも１つの第１折曲部（３４）は、複数の第１折曲部（３４ａ〜３４ｅ）を含む。複数の第１折曲部（３４ａ〜３４ｅ）は、電子部品（２０）と配線（６０，６１）とを囲むように配置される。
【００６９】
第１金属板（３０）は、第１面（１１）から露出するように折り曲げられ、樹脂成形体（１０）に埋設される第２折曲部（３５）をさらに有する。電子装置（１）は、電子部品（２０）と第２折曲部（３５）とに接続するように第１面（１１）に形成された伝熱層（５０）をさらに備える。
【００７０】
電子装置（１）は、第２面（１２）に接続された第３金属板（３１）をさらに備える。第３金属板（３１）は、先端が第１面（１１）から露出するように折り曲げられ、樹脂成形体（１０）に埋設される第３折曲部（３２）と、外部装置と接続可能な端子部（３３）とを有しる。配線（６０）は、第３折曲部（３２）に接続する。
【００７１】
電子装置（１）の製造方法は、第１金属板（１３０）を折り曲げて、折曲部（３４）を形成する工程と、折曲部（３４）の一部と電子部品（２０）とをシート（８０）の一方の面（８０ａ）に貼り付ける工程と、シート（８０）の他方の面（８０ｂ）が成形型（８３，８４）の内面に接するようにシート（８０）を成形型（８３，８４）内に配置し、成形型（８３，８４）内に樹脂を充填させることにより、電子部品（２０）と折曲部（３４）とが埋設された樹脂成形体（１０）を成形する工程と、樹脂成形体（１０）からシート（８０）を剥離する工程と、シート（８０）を剥離することにより露出した樹脂成形体（１０）の表面（上面１１）に、電子部品（２０）に接続する配線（６０，６１）を形成する工程と、電子部品（２０）および配線（６０，６１）を覆うように第２金属板（４０）を配置し、第２金属板（４０）と折曲部（３４）とを電気的に接続する工程とを備える。
【００７２】
本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００７３】
１  電子装置、１０  樹脂成形体、１１  上面、１２  第１下面、１３  第２下面、２０（２０ａ〜２０ｅ）  電子部品、２１（２１ａ〜２１ｅ）  電極、３０，３１ａ，３１ｂ，４０，１３０  金属板、３２（３２ａ，３２ｂ），３４（３４ａ〜３４ｅ），３５  折曲部、３３ａ，３３ｂ  端子部、３６  切欠き部、３７（３７ａ〜３７ｄ）  穴、３８ｂ，３９  先端面、５０  伝熱層、６０（６０ａ，６０ｂ），６１  配線、７０  導電接着部材、８０，８１  シート、８０ａ，８０ｂ，８１ａ，８１ｂ  面、８２  紫外線、８３  上成形型、８４  下成形型、８５  空間、９０  インクジェット印刷機、１３１  切取対象部分。
【図１】
2019091809.tif 000003
【図２】
2019091809.tif 000004
【図３】
2019091809.tif 000005
【図４】
2019091809.tif 000006
【図５】
2019091809.tif 000007
【図６】
2019091809.tif 000008
【図７】
2019091809.tif 000009
【図８】
2019091809.tif 000010
【図９】
2019091809.tif 000011
【図１０】
2019091809.tif 000012
【図１１】
2019091809.tif 000013
【図１２】
2019091809.tif 000014
【図１３】
2019091809.tif 000015
【図１４】
2019091809.tif 000016
【図１５】
2019091809.tif 000017
【図１６】
2019091809.tif 000018
【図１７】
2019091809.tif 000019